(57)【要約】【課題】三次元光造形装置は、構造解析結果からＣＡＤモデルデータを作成し、その上で造形をおこなうので、莫大な時間を要していた。本発明の目的は、構造解析結果のデータから光造形技術によって作成するための光造形用データを直接生成する方法および装置を提供することにある。【解決手段】造形物の構造解析のために複数の節点を設け、前記造形物を前記節点を８節点含む６面体を単位要素とする集合体とし、前記解析結果における前記節点の３次元方向の変位量を求め、前記単位要素の集合における各面を複数の三角形に分割したフェースデータを生成し、前記フェースデータのうち前記造形物を構成する外表面を抽出し、前記抽出された外表面の法線ベクトル量を求めるとともに前記節点の３次元方向の変位量と法線ベクトル座標から前記造形物の光造形用データを生成することに特徴がある。【選択図】  図１
2004160858.tif 000002
【特許請求の範囲】
【請求項１】
造形物の構造解析データを用いて、複数の三角形により立体形状を近似的に表す光造形用データを生成する方法において、前記造形物の構造解析のために複数の節点を設け、前記造形物を前記節点を８節点含む６面体を単位要素とする集合体とし、前記構造解析結果における前記節点の３次元方向の変位量を求め、前記単位要素の集合における各面を複数の三角形に分割したフェースデータを生成し、前記フェースデータのうち前記造形物を構成する外表面を抽出し、前記外表面の法線ベクトル量を求めるとともに前記節点の３次元方向の変位量と法線ベクトル座標から前記造形物の光造形用データを生成することを特徴とする構造解析結果から光造形用データを生成する方法。
【請求項２】
請求項１において、前記節点、要素、変位データに加え拡大率データを用い、変形後の誇張形状を表すことを特徴とする構造解析結果から光造形用データを生成する方法。
【請求項３】
造形物の構造解析データを用いて複数の三角形により立体形状を近似的に表す光造形用データを生成する演算処理部を有する光造形用データ生成装置において、前記演算処理部は構造解析結果データから、前記造形物を構成する節点データを読みこみ節点データ用メモリに格納する節点データ読み込み部と、８節点を含み６面体からなる要素データを読みこみ要素データ用メモリに格納する要素データ読み込み部と、前記造形物を構成する前記節点における変位データを読みこみ変位データ用メモリに格納する変位データ読み込み部と、前記要素データメモリに格納されたデータから光造形用データを生成するために表面要素を抽出する表面要素抽出部と、抽出された表面要素と節点データメモリに格納された節点データと、変位データ用メモリに格納された変位データとから光造形用データとなる三角形のフェースデータを生成しフェースデータ用メモリに格納する要素中心点補間処理部と、前記フェースデータ生成部から構成する光造形用データ生成部と、生成した光造形用データをフェースデータ用メモリから出力するフェース法線データ出力部とフェース点座標データ出力部から構成される光造形用データ出力部とを備えた、ことを特徴とする構造解析結果から光造形用データを生成する装置。
【請求項４】
請求項３において、前記光造形用データの誇張を行なうための変位拡大率メモリを有し、前記拡大率に応じて構造解析結果から光造形用データを生成することを特徴とする構造解析結果から光造形用データを生成する装置。
【発明の詳細な説明】
【０００１】
【発明の属する技術分野】
本発明は、光造形用データ生成技術に係わり、特に構造解析結果のデータから変形量を考慮した光造形用データを効率的に生成する、光造形用データ生成装置および生成方法に関する。
【０００２】
【従来の技術】
【特許文献１】特開平１０−２０２７５６号公報
【特許文献２】特開２０００−１８２０８０号公報
【特許文献３】特開平６−３０１７９３号公報
【０００３】
形成槽内の光硬化性樹脂をレーザー照射により一層毎に硬化させる三次元形成装置の入力データは、一般的にＳＴＬデータと呼ばれる３角形フェースの集合データが用いられている。一方光造形用データから高精度で造形物を生成するための三次元光造形用データ作成方法には、前記特許文献１に示されるような方法がある。これは、三次元形状データを形成段差が目立たないようにスライスして複数の断面輪郭線データを作成するステップと、補正ステップを有し、光造形用データを作成する方法である。
【０００４】
また、ＳＴＬデータから構造解析用３次元差分メッシュを生成する技術は、前記特許文献２に示されている。また、前記特許文献３は、図形形状の表示に関する。それは、図形形状を表示する際に、表示対象データを削減し表示速度を向上させるものである。図形の表示は、図形形状の表面部分の面データのみにより実行し、その内部に位置する面データを不要として表示対象データの削減を図るものである。いずれも解析データから直接光造形用データを生成することについては何らの開示もない。
【０００５】
【発明が解決しようとする課題】
光造形用データを生成する手法は、構造解析結果のデータを用いて、三次元ＣＡＤデータを生成し、しかるのちに光造形用データを生成する手法が一般的である。しかしながら、この方法では、解析結果から一旦三次元ＣＡＤデータを生成する必要がある。大量のデータを扱うことになるので莫大な時間を要してしまう。前記特許文献１は、三次元形状データの形成段差を問題にしていて、前記特許文献２では、光造形データから解析をおこなうための、三次元の差分メッシュデータを作成する方法について述べている。特許文献３は、表示手法に関する。しかしながら、解析結果のデータを直接使用して光造形用データを生成する技術について、なんらの開示もない。
【０００６】
本発明の目的は、構造解析結果からＣＡＤデータに変換することなく、直接光造形用データを作成する方法及び装置を提供することにある。それには構造解析結果のデータから、基本形状を表す節点データ、要素データ及び各節点における変形量データを読み込み、変形後の形状を光造形技術によって造形物として生成するための光造形用データを生成する方法および装置を提供することにある。
【０００７】
【課題を解決するための手段】
本発明は、構造解析結果からＣＡＤモデルデータを作成することなく、直接光造形用データを生成することができる。それは、以下の方法および装置により解決することができる。
【０００８】
造形物の構造解析データを用いて、立体形状を近似的に表す光造形用データを生成する方法において、前記造形物の構造解析のために複数の節点を設け、前記造形物を前記節点を８節点含む６面体を単位要素とする集合体とし、前記解析結果における前記節点の３次元方向の変位量を求め、前記単位要素の集合における各面を複数の三角形に分割したフェースデータを生成し、前記フェースデータのうち前記造形物を構成する外表面を抽出し、前記外表面の法線ベクトル量を求めるとともに前記節点の３次元方向の変位量と法線ベクトル座標から前記造形物の光造形用データを生成する方法により、前記課題を解決することができる。また、前記節点、要素、変位データに加え拡大率データを用い、変形後の誇張形状を表すことにある。
【０００９】
造形物の構造解析データを用いて光造形用データを生成する演算処理部を有する光造形用データ生成装置において、前記演算処理部は構造解析結果データから、前記造形物を構成する節点データを読みこみ節点データ用メモリに格納する節点データ読み込み部と、８節点を含み６面体からなる要素データを読みこみ要素データ用メモリに格納する要素データ読み込み部と、前記造形物を構成する前記節点における変位データを読みこみ変位データ用メモリに格納する変位データ読み込み部と、前記要素データメモリに格納されたデータから光造形用データを生成するために表面要素を抽出する表面要素抽出部と、抽出された表面要素と節点データメモリに格納された節点データと、変位データ用メモリに格納された変位データとから光造形用データとなる三角形のフェースデータを生成しフェースデータ用メモリに格納する要素中心点補間処理部と、前記フェースデータ生成部から構成する光造形用データ生成部と、生成した光造形用データをフェースデータ用メモリから出力するフェース法線データ出力部とフェース点座標データ出力部から構成される光造形用データ出力部とを備えた装置により前記課題を解決することができる。また、前記光造形用データの誇張を行なうための変位拡大率メモリを有し、前記拡大率に応じて構造解析結果から光造形用データを生成することにある。
【００１０】
【発明の実施の形態】
以下、本発明の実施の形態を、図を用いて説明する。
図１は、本発明による構造解析結果のデータを用いて、光造形用データを生成する装置のブロック構成例について示したものである。
【００１１】
本発明の構造解析結果から光造形用データを生成する装置は、入力装置１、外部記憶装置２及び演算処理部３を有する装置であって、前記演算処理部３は光造形用データ生成演算処理部５を有している。
【００１２】
前記光造形用データ生成演算処理部５は、外部記憶装置２に登録された構造解析結果データを読みこむ解析結果読み込み部６を有していて、解析結果読み込み部６によりデータが読み込まれる。解析結果読み込み部６は、外部記憶装置２からデータを読み込み、節点データを作業用データメモリ４の節点データ用メモリ４１に格納する節点データ読み込み部６１と、要素データを作業用データメモリ４の要素データ用メモリ４２に格納する要素データ読み込み部６２と、変位データを作業用データメモリ４の変位データ用メモリ４３に格納する変位データ読み込み部６３から構成されている。
【００１３】
解析結果読み込み部６により解析データが読み込まれ、前記作業用データメモリ４に登録された構造解析結果データから光造形用データを作成する。前記光造形用データ生成演算処理部５は、光造形用データを生成するために表面要素を作業用データメモリ４の要素データ用メモリ４２から抽出する表面要素抽出部７を備え、前記表面要素抽出部７で抽出された表面要素と、節点データメモリ４１に格納した節点データと、変位データ用メモリ４３に格納した変位データと、入力装置１から変位拡大率データ用メモリ４５に格納した変位拡大率から、光造形用データとなる三角形のフェースデータを生成する。
【００１４】
光造形用データ生成部８は、生成したデータを作業用データメモリ４のフェースデータ用メモリ４４に格納する。そして要素中心点補間処理部８１と、フェースデータ生成部８２から構成される。また、光造形用データ出力部９は、生成した光造形用データを作業用データメモリ４のフェースデータ用メモリ４４から読み出して、外部記憶装置２に出力するフェース法線データ出力部９１と、フェース点座標データ出力部９２から構成されている。
【００１５】
図２は、解析モデルから造形用ＳＴＬデータ変換の概略を図で示したものである。図２（Ａ）は解析モデルデータの形状であり、図２（Ｂ）に示すように、解析モデルデータは例えば８節点からなる６面体要素を単位要素とし、造形物をこの要素の集合として定義する。要素と要素が接続している部分では、モデル内部にも面や点が存在する。一方造形用ＳＴＬデータは、図２（Ｃ）に示すように、形状の表面のみを表す３角形のフェースの集合とする。本発明は、図２（Ａ）に示したような形状の物体に対して、例えば、ある点に荷重をかけた場合に、その物体がどのように変形するか、実際に各節点の変位データを求め，そのデータを用いて光造形用のデータを直接生成するものである。
【００１６】
図３に本発明における一実施例としての解析モデルを示す。このモデルを６３点の節点から成り、２４個の８節点６面体要素の集合モデルとして定義する。節点は図３に示すような順番で定義した。８節点６面体要素の一つは、例えば１，２，１１，１０，１３，４，５，１４の８節点、この節点から成る要素の６面は、１，２，５，４で構成される面と、１，２，１１，１０で構成される面と、１，４，１３，１０で構成される面と、２，５，１４，１１で構成される面と、４，５，１４，１３で構成される面と、１０，１１，１４，１３で構成される面との６面である。図３の場合はこの８節点６面体要素が２４個で構成されていることになる。
【００１７】
図４に、前記図３の本解析モデルの一実施例を用いて解析した結果の例を示す。図４（Ａ）のＮＯＤＥ  ＤＡＴＡ部では、図３に示した節点、６３点の、Ｘ，Ｙ，Ｚの基準座標値を示している。図４（Ｂ）のＥＬＥＭＥＮＴ  ＤＡＴＡ部では２４個の要素の、それぞれの構成節点番号を示している。要素１は節点２，１１，１４，５，１，１０，１３，４、から構成されていることを示している。図４（Ｃ）のＤＩＳＰＬＡＣＥＭＥＮＴ  ＤＡＴＡ部では、各節点のＸ、Ｙ、Ｚ方向の変位量を示している（このデータから分かるように、上方向から単純に−Ｙ方向に力を加えたものではない）。Ｚ方向にも微小値の変位が見られる（Ｚ方向のデータの中で、例えば−７Ｅ−０６は（−７）×１０−６を表している）。
【００１８】
これらの解析データの、作業用データメモリにおけるデータを図５，６，７，８，９に示した。図５の、節点データ用のメモリ４１の内容は、図４の（Ａ）のデータに対応したメモリデータを示している。図６の要素データ用メモリ４２の内容は図４の（Ｂ）データに加え面フラグデータをも示している。図７の変位データ用メモリ４３の内容は図４の（Ｃ）のデータを記憶している。図８のフェースデータ用メモリ４４のメモリデータを示している。これは１フェースを３点構成の三角形４個で定義し、前記図３の解析モデルの表面を表すと、全体で２２４個（（１６×２）＋（８×６）×４＝２２４）の三角形で表すことができる。そして、図８は面を構成する三角形の、一点目、ニ点目、三点目、のＸ，Ｙ，Ｚ、座標と、三点で構成される面に対する法線ベクトルのＸ，Ｙ，Ｚ，の座標値を示している。それは、各フェースＮＯ．の４列目のデータがそれを示している。また、図９は、変位拡大率データ用メモリのメモリデータを示している。
【００１９】
次に、図１０のフロー図を用いて、本実施例の手順を説明する。はじめに、ステップ１０００では、解析結果読み込み部６において、図４に示した構造解析結果のデータを、外部記憶装置２から読み込む。それは、例えば図１１に示した詳細フローにおけるデータを読み込みステップ１００１である。ステップ１００１では、節点データ読み込み部６１により、図４（Ａ）に示したＮＯＤＥ  ＤＡＴＡ部の節点データを読み込み、作業用データメモリ４の節点データ用メモリ４１に登録する。節点データ用メモリ４１のデータの例は、前記図５に示すとおりである。
【００２０】
図１１のステップ１００２では、要素データ読み込み部６２において、図４（Ｂ）に示したＥＬＥＭＥＮＴ  ＤＡＴＡ部の要素データを読み込み、作業用データメモリ４の要素データ用メモリ４２に登録する。このとき要素データ用メモリ４２の面１フラグ、面２フラグ、面３フラグ、面４フラグ、面５フラグ、及び面６フラグを−１とする。要素データ用メモリ４２のデータの例は、前記図６に示すとおりである。図１１のステップ１００３では、変位データ読み込み部６３において、図４の（Ｃ）に示した  ＤＩＳＰＬＡＣＥＭＥＮＴ  ＤＡＴＡ部の変位データを読み込み、作業用データメモリ４の変位データ用メモリ４３に登録する。変位データ用メモリ４３のデータの例は、前記図７に示すとおりである。
【００２１】
次に、図１０のステップ２０００で、入力装置１から変位拡大率を入力し、作業用データメモリ４の変位拡大率データ用メモリ４５に登録する。例えば拡大率Ｘを１００．０、拡大率Ｙを１００．０、拡大率Ｚを１００．０とすることができる。変位拡大率データ用メモリ４５のデータの例は、前記図９に示すとおりである。この拡大率は、変位の大きさに応じて任意に設定することができ、誇張表示を行なう場合に設定される値である。
【００２２】
次に、図１０のステップ３０００で、表面要素抽出部７において、解析モデルの表面要素を抽出する。図１２に詳細フローを示す。つまりステップ３００１で作業用データメモリ４の要素データ用メモリ４２の面１フラグ、面２フラグ、面３フラグ、面４フラグ、面５フラグ、及び面６フラグを「−１」に初期化する（図６参照）。この処理はステップ１０００で要素データを読み込んだときに「−１」としておけば必ずしも実施する必要はない。
【００２３】
次にステップ３００２で、要素データ用メモリ４２内のひとつの要素（Ｅ１）例えば要素ＮＯ１を取り出し、その要素のひとつの面（Ｆ１）例えば面１を構成する節点番号を取り出す。図１３（Ａ）に示すような要素を、図３に対応させ、そして図６の要素１の場合とすると，図１３（Ｂ）の面１の節点構成１，２，３，４の面については、（２）、（１１）、（１４）、（５）の節点構成となる（図３，図６の要素１に対応させ、カッコで節点を示した）。他の面についても同様である。（どの面をＦ１とするかによって節点の構成は変わるが、ここでは、図３に対応させ，図６の要素１についての例を示した。
【００２４】
次にステップ３００３で、別な要素（Ｅ２）例えば要素ＮＯ２を取り出し、その要素のひとつの面（Ｆ２）例えば面１を構成する節点番号を取り出す。図１３に示すような要素の節点構成となっているとすれば、図６において、要素２のＦ２の構成節点番号は（３）、（１２）、（１５）、（６）となる。次にステップ３００４で、ステップ３００２で取り出したＦ１の構成節点（２）、（１１）、（１４）、（５）と３００３で取り出したＦ２の構成節点（３）、（１２）、（１５）、（６）とを比較する。比較を容易にするために節点番号を昇順にならべかえることができる。
【００２５】
つまり、Ｆ１の構成節点（２）、（５）、（１１）、（１４）とＦ２の構成節点（３）、（６）、（１２）、１５を比較する。構成節点が異なる場合、ステップ３００３に戻り要素Ｅ２の、次の面の構成節点をとりだして、Ｆ１の構成節点と比較する。構成節点が同じ場合、ステップ３００４に進みＦ１とＦ２の面フラグに「１」を登録する。次にステップ３００２に戻り、全要素についてステップ３００２からステップ３００５までを繰り返す。最終的に作業用データメモリ４の要素データ用メモリ４２の面１フラグ、面２フラグ、面３フラグ、面４フラグ、面５フラグ、及び面６フラグが「−１」のまま登録されている面が表面要素となる。表面要素抽出後の要素データ用メモリ４２の一実施例を図１４に示す。
【００２６】
つまり本実施例では、例えば要素ＮＯ１の面２、面３、面４が表面要素である。また、図１０のステップ３０００での表面要素抽出処理は、発明者らが出願した前記特許文献３の手法を応用してもよい。
【００２７】
次に、図１０のステップ４０００では、光造形用データ生成部８において、前記図１０のステップ３０００で抽出した表面要素と、ステップ１０００で読み込んだ節点データ、変位データ、そして図１０のステップ２０００で登録した変位拡大率から光造形用の３角形フェースを生成し、作業用データメモリ４のフェースデータ用メモリ４４に登録する。その手順を図１５に示す。つまりステップ４００１で、要素データ用メモリに登録した要素データから面フラグが「−１」の面を取り出す。例えば要素ＮＯ１の面３を取り出す。とりだした面の構成節点は図１３に示すような要素の節点構成となっているとすれば、（２）、（５）、（４）、（１）となる。この面が形成物の表面の一部を構成する。
【００２８】
次に、ステップ４００２で、要素中心点補間部８１において、節点座標、座標変位、変位拡大率から変形後の節点座標を計算する。つまり、節点２については前記図５の節点２のデータと前記図７の変位データと拡大率１００とした場合のそれぞれの座標は次のとおり。
節点２の節点座標Ｘは  ３０．０＋０．００５４８９×１００．０＝３０．５４８９
節点２の節点座標Ｙは  ５．０−０．０４９５９×１００．０＝０．０４１
節点２の節点座標Ｚは  ５．０＋０．０×１００．０＝５．０
【００２９】
そして節点５については、
節点５の節点座標Ｘは  ３０．０＋０．００００２３×１００．０＝３０．００２３
節点５の節点座標Ｙは  ２．５−０．０４９５８×１００．０＝−２．４５８
節点５の節点座標Ｚは  ５．０＋０．０×１００．０＝５．０
【００３０】
節点４については、
節点４の節点座標Ｘは  ３０．０＋０．００００２３×１００．０＝３０．００２３
節点４の節点座標Ｙは  ２．５−０．０４９５７×１００．０＝−２．４５７
節点４の節点座標Ｚは  ０．０−０．０００００４×１００．０＝−０．０００４
【００３１】
節点１については、
節点１の節点座標Ｘは  ３０．０＋０．００５４８９×１００．０＝３０．５４８９
節点１の節点座標Ｙは  ５．０−０．０４９５７×１００．０＝０．０４３
節点１の節点座標Ｚは  ０．０＋０．０００００７×１００．０＝０．０００７
となる。
【００３２】
次にステップ４００３で、要素中心点を求める。要素中心点は例えば上記４点のＸ、Ｙ、Ｚを平均することで求めることができる。つまり
中心点節点座標Ｘは、３０．２７５６
中心点節点座標Ｙは、−１，２０７７５
中心点節点座標Ｚは、２．５０００７５
となる。
【００３３】
次に、ステップ４００４で、フェースデータ生成部８２において、節点２、節点５、中心点をひとつの３角形フェースとして、作業用メモリ４のフェースデータ用メモリ４４に登録する。次にステップ４００５で、節点２、節点５、中心点から法線ベクトルを計算する。法線ベクトルは中心点から節点２へのベクトルと、中心点から節点５へのベクトルの外積として求め、作業用メモリ４のフェースデータ用メモリ４４に登録する。
【００３４】
同様に節点５、節点４、中心点をひとつの３角形フェースとして、さらに法線ベクトルを計算し作業用メモリ４のフェースデータ用メモリ４４に登録する。同様に節点４、節点１、中心点をひとつの３角形フェースとして、さらに法線ベクトルを計算し作業用メモリ４のフェースデータ用メモリ４４に登録する。同様に節点１、節点２、中心点をひとつの３角形フェースとして、さらに法線ベクトルを計算し作業用メモリ４のフェースデータ用メモリ４４に登録する。以下、ステップ４００１からステップ４００５を繰り返す。図８に登録されたフェースデータ用メモリ４４のデータの例を示す。
【００３５】
次に図１０のステップ５０００では、光造形用データ出力部９において、フェースデータ用メモリ４４に登録したフェースデータを外部記憶装置２に出力する。まずｓｏｌｉｄ  ＴＥＳＴを出力する。次にフェースの法線とフェース点座標を出力する。詳細を図１６に示す。まず、ステップ５００１でフェースデータ用メモリ４４からひとつのフェースデータと取り出す。次にステップ５００２で、法線ベクトルを出力する。ｆａｃｅｔ  ｎｏｒｍａｌに続いて法線ベクトルのＸ、Ｙ、Ｚを出力する。次にステップ５００３で、フェース点座標を出力する。まず、ｏｕｔｅｒ  ｌｏｏｐを出力する。次にｖｅｒｔｅｘに続いて１点目Ｘ、１点目Ｙ、１点目Ｚを出力する。次にｖｅｒｔｅｘに続いて２点目Ｘ、２点目Ｙ、２点目Ｚを出力する。
【００３６】
次にｖｅｒｔｅｘに続いて３点目Ｘ、３点目Ｙ、３点目Ｚを出力する。次にｅｎｄｌｏｏｐを出力する。次にｅｎｄｆａｃｅｔを出力する。以下ステップ５００１から５００３までフェース数繰り返す。最後にｅｎｄｓｏｌｉｄを出力する。図１７に光造形用ＳＴＬデータを出力した例を示す。
【００３７】
図１８は光造形用ＳＴＬデータの形状の例を示す。それは図３における解析モデルの節点に２に、略上方向から力を加えたような場合の、変形後の形状を示していて、構造解析データから図１８の造形を行なうための光造形用データを出力することができる。このようにして、本発明では解析結果のデータから光造形用ＳＴＬデータを直接生成することができる。
【００３８】
本発明によれば、構造解析結果のデータから、基本形状を表す節点データ、要素データ及び各節点における変位量を読み込み、さらに変位の拡大率を入力することによって変形後の形状を誇張した形状を、光造形技術によって造形物として生成するための光造形用データを生成することができる。
【００３９】
【発明の効果】
本発明によれば、構造解析結果のデータから変形後の形状について、光造形技術によって造形物として生成するための光造形用データを直接生成することができる。
【図面の簡単な説明】
【図１】本発明の一実施例を示すブロック構成図である。
【図２】解析モデルから造形用ＳＴＬデータ変換のイメージを示す図である。
【図３】本実施例における解析モデルの例を示す図である。
【図４】構造解析結果のデータ例を示す図である。
【図５】節点データ用メモリのデータ例を示す図である。
【図６】要素データ用メモリのデータ例を示す図である。
【図７】変位データ用メモリのデータ例を示す図である。
【図８】フェースデータ用メモリのデータ例を示す図である。
【図９】変位拡大率データ用メモリのデータ例を示す図である。
【図１０】光造形用データ生成装置の処理フローを示す図である。
【図１１】解析結果読み込み部の処理フローを示す図である。
【図１２】表面要素抽出部の処理フローを示す図である。
【図１３】要素の節点構成例を示す図である。
【図１４】表面要素抽出後の要素データ用メモリの例を示す図である。
【図１５】光造形用データ生成部の処理フローを示す図である。
【図１６】光造形用データ出力部の処理フローを示す図である。
【図１７】光造形用ＳＴＬデータ出力例を示す図である。
【図１８】光造形用ＳＴＬデータによる形状を示す図である。
【符号の説明】
１；入力装置  ２；外部記憶装置  ３；演算処理装置  ４；作業用データメモリ  ５；光造形用データ生成演算処理部  ６；解析結果読み込み部  ７；表面要素抽出部  ８；光造形用データ生成部  ９；光造形用データ出力部  ４１；節点データ用メモリ  ４２；要素データ用メモリ  ４３；変位データ用メモリ  ４４；フェースデータ用メモリ  ４５；変位拡大率データ用メモリ  ６１；節点データ読み込み部  ６２；要素データ読み込み部  ６３；変位データ読み込み部  ８１；要素中心点補間部  ８２；フェースデータ生成部  ９１；フェース法線データ出力部  ９２；フェース点座標データ出力部。
【図１】
2004160858.tif 000003
【図２】
2004160858.tif 000004
【図３】
2004160858.tif 000005
【図４】
2004160858.tif 000006
【図５】
2004160858.tif 000007
【図６】
2004160858.tif 000008
【図７】
2004160858.tif 000009
【図８】
2004160858.tif 000010
【図９】
2004160858.tif 000011
【図１０】
2004160858.tif 000012
【図１１】
2004160858.tif 000013
【図１２】
2004160858.tif 000014
【図１３】
2004160858.tif 000015
【図１４】
2004160858.tif 000016
【図１５】
2004160858.tif 000017
【図１６】
2004160858.tif 000018
【図１７】
2004160858.tif 000019
【図１８】
2004160858.tif 000020